(57)【特許請求の範囲】
【請求項１】
受け板上にカットシートを積層状態にて載置したマガジン体を、本体ケースの給紙部に着脱自在に装着し、本体ケース側に設けた押し上げ機構を介して受け板をマガジン体の底面方向から押し上げて積層状のカットシートを給紙手段に押しつけるように構成してなるカットシートのマガジン装置において、
マガジン体内には、前記積層されたカットシートの上端左右縁に係止するための左右一対の分離爪を有する分離枠体を上下回動可能に枢支し、該分離枠体における連結底板を前記受け板の下面側に配置させる一方、マガジン体の底板と前記連結底板との間には、前記押し上げ機構による押し上げ力が解除されたとき、分離枠体をマガジン体内の方向に下降させるための引下げ機構を配置したことを特徴とするカットシートのマガジン装置。
【請求項２】
前記給紙手段としての回転ローラの表面を微粘着材層に形成する一方、前記分離枠体には、前記回転ローラがカットシートの表面に押圧される箇所を挟んで前記分離爪と反対側に浮き上がり防止爪を設けたことを特徴とする請求項１に記載のカットシートのマガジン装置。
【請求項３】
前記引下げ機構は、基端をマガジン体の底板に係止する一方、他端を前記連結底板に係合させるトーションバーにて構成されていることを特徴とする請求項１または請求項２のいずれかに記載のカットシートのマガジン装置。
【発明の詳細な説明】
【０００１】
【発明の属する技術分野】
本発明は、スタンプ作成装置やプリンタ、ファクシミリ装置、複写機等の各種画像形成装置における被記録媒体としてのカットシートを積層状にして収納したマガジン装置の構造に係り、より詳しくは、マガジン体を給紙部から軽やかに抜き出すことができる構成に関するものである。
【０００２】
【従来の技術】
従来、例えば、特開昭５７−９６４６号公報等に開示されているように、プリンタや複写機等における給紙部に、被記録媒体としてのカットシートを積層状に収納して脱着するためのマガジン装置において、マガジン体（トレイ）の内部に配置した受け板（浮き底）上にカットシートを積層させて配置し、給紙部側に設けた押し上げ機構により、マガジン体の底面に穿設された穴を介して前記受け板を押し上げて、給紙部の給紙ローラの周面に最上位置のカットシートを押圧する構成が知られている。
【０００３】
また、実開昭５９−１７３６３３号公報や実開昭６２−１０８３４９号公報に開示されているように、マガジン体（トレイ）のカットシート繰出し側に左右一対の分離爪を上下回動可能に設け、この一対の分離爪にて上向き付勢された受け板に積層されたカットシートの繰出し前端側の左右角部に当接して引っ掛けると共に、給紙ローラの回転摩擦力にて繰り出すとき、カットシートを１枚ずつに分離し易いように構成されていることは既知である。
【０００４】
【発明が解決しようとする課題】
しかしながら、押し上げ機構による押圧作用が解除された後でも、カットシートの紙やオーバーヘッドプロジェクタに使用するための合成樹脂製フィルム（通称、ＯＨＰフィルム）が静電気のために給紙ローラに付着して、マガジン体内の方向に落ちないという問題があった。
【０００５】
他方、本出願人は、先に、特願平１０−８６４７２号において、カットシートが製版用の透明な合成樹脂フィルムである場合に、そのフィルムの表面に塵、埃が付着していると、後の原稿作成時にインクリボンのインクの転写がなされず印刷不良になるとか、製版時に塵埃の部分が斑点状に残って製版不良になるので、マガジン体から合成樹脂フィルムを繰り出すための給紙ローラの円周面を、塵、埃を付着され易い微粘着材層にて形成することを提案した。
【０００６】
この場合、前述のように、押し上げ機構による押圧作用が解除されても、給紙ローラの微粘着材層に付着したカットシートは強制的に剥がさない限り、離脱できないから、そのままマガジン体を給紙部から引き出すと、前記付着したカットシートが折れ曲がる等して紙詰まりの原因となるのであった。
本発明は、これらの従来の問題点を解決するためになされたものであって、押し上げ機構による押し上げ作用が解除されると自動的に積層したカットシートを給紙手段から引き離すことができるカットシートのマガジン装置を提供することを目的とするものである。
【０００７】
【課題を解決するための手段】
前記目的を達成するため、請求項１に記載の発明のカットシートのマガジン装置は、受け板上にカットシートを積層状態にて載置したマガジン体を、本体ケースの給紙部に着脱自在に装着し、本体ケース側に設けた押し上げ機構を介して受け板をマガジン体の底面方向から押し上げて積層状のカットシートを給紙手段に押しつけるように構成してなるカットシートのマガジン装置であって、マガジン体内には、前記積層されたカットシートの上端左右縁に係止するための左右一対の分離爪を有する分離枠体を上下回動可能に枢支し、該分離枠体における連結底板を前記受け板の下面側に配置させる一方、マガジン体の底板と前記連結底板との間には、前記押し上げ機構による押し上げ力が解除されたとき、分離枠体をマガジン体内の方向に下降させるための引下げ機構を配置したものである。
【０００８】
また、請求項２に記載の発明は、請求項１に記載のカットシートのマガジン装置において、前記給紙手段としての回転ローラの表面を微粘着材層に形成する一方、前記分離枠体には、前記回転ローラがカットシートの表面に押圧される箇所を挟んで前記分離爪と反対側に浮き上がり防止爪を設けたものである。
さらに、請求項３に記載の発明は、請求項１または請求項２のいずれかに記載のカットシートのマガジン装置において、前記引下げ機構は、基端をマガジン体の底板に係止する一方、他端を前記連結底板に係合させるトーションバーにて構成されているものである。
【０００９】
【発明の実施の形態】
次に、本発明を具体化した実施形態について説明する。図１はスタンプ作成装置の概略斜視図、図２はスタンプ作成装置全体の断面図、図３はマガジン体を抜き出した状態のスタンプ作成装置の断面図、図４はマガジン装着部の要部拡大断面図、図５はマガジン体の全体斜視図である。
【００１０】
図１及び図２に示すように、スタンプ作成装置１における合成樹脂製等の本体ケース１ａの一側寄りの上部には、透明の原稿シート８を多数枚積層させて収納したカセット式のマガジン体２を着脱自在に装着するマガジン装着部３を備える。マガジン装着部３に隣接してＩＤ用シート９を一枚ずつ手差しするための手差し挿入口４が開口されている。本体ケース１ａ内には、前記原稿シート８及びＩＤ用シート９を一枚ずつ印刷部５に向かって搬送するための給紙部６と、印刷部５にて印刷された原稿シート８を介して印面部材１０に所定の印面を製版するためのキセノン発光ユニット７を着脱自在に装着できる製版部１１とを備える。
【００１１】
原稿シート８は図１５（ａ）及び図１５（ｂ）に示すごとく、平面視略矩形状の透明な合成樹脂製フィルム（例えばポリエチレンテレフタレート）のベースシート８ａの片面（表面）全体には、受像層８ｂを塗布形成し、さらに、ベースシート８ａの長手方向の左右両側縁に沿ってストライプ層８ｃを印刷により形成する。受像層８ｂは、印刷部５での印刷時にインクリボンによるインキが接着し易いようにするためのものであって、例えばポリエチレンテレフタレートは極性が非常に低く化学安定性がすぐれているので、そのベースシート８ａの表面に無機酸化剤を塗布した上に固形バインダーとして環化ゴム、シェラック、ロジンエステル、セルロース誘導体、塩ビ−酢酸ビニル共重合体等を塗布したものである。ストライプ層８ｃは、印刷部５への原稿シート８の搬送の頭出し、後端検出や、原稿シート８の搬送の向きを後述する光反射型の第１感知センサ６３や光透過型の第２感知センサ６４等にて判別するための黒色等のインキ層である。
【００１２】
また、原稿シート８の表面の先端寄り部位には、マガジン体２への挿入方向を示すためのがインキ層による目印８ｄが施されている。これらストライプ層８ｃや目印８ｄ等の部分のインキ層は、他の箇所に比して接着性が大きいため、それらの部分の表面には摩擦係数の小さい物質からなるオーバーコート層８ｅを施している（図１５（ｂ）参照）。これにより、原稿シート８を重ねたとき、互いに密着して離れ難くなるのを防止したり、後述するように給紙手段としての回転ローラである繰出しローラ２０の回転表面の微粘着材層に原稿シート８が接着しないようにして繰出し作用を軽やかにできるようにしている。なお、図１５（ａ）に示すように、原稿シート８の後端側の一側角部を斜めに切取ることにより、この切取り部８ｆを、マガジン体２における後述する内ケース４３の底板４３ｂの後部位の突出部４３ｅ（図１０参照）に当接させれば、ユーザーがマガジン体２にセットした場合の原稿シート８の搬送の向きの誤りを確実に防止することができる。
【００１３】
他方、印面部材１０は、カーボンブラックまたは光エネルギー吸収物質を分散させて含有し、且つ連続気泡を有してスタンプインキを含浸可能にな多孔性の板材であり、この印面部材をポジ原稿に押圧した状態にて該ポジ原稿を通して光を照射することによって、ポジ原稿の透明部分に対応した印面部材の表面箇所が溶融固化する一方、ポジ原稿の不透明部分（光遮断部分）に対応した印面部材の表面箇所は多孔性のままとなるスタンプが製造できるものである。
【００１４】
印刷部５には、サーマルヘッド１２とプラテンローラ１３とインクリボンカートリッジ１４とを備える。サーマルヘッド１２は、本体ケース１ａの上面に上下回動可能に装着されたカバー体１６の下面側に備えた付勢手段付きホルダ１７に装着される一方、前記カバー体１６を開けてホルダ１７と共にサーマルヘッド１２を本体ケース１ａ外に位置させた状態にてインクリボンカートリッジ１４を交換することができる構成である。
【００１５】
インクリボンカートリッジ１４における巻元側リール１４ａから巻取りリール１４ｂに巻き取られるインクリボン１５が前記サーマルヘッド１２とプラテンローラ１３との間を通過するように配置する。
給紙部６における給紙手段としての回転ローラである繰出しローラ２０の回転表面には原稿シート８の幅方向のほぼ全体（前記左右両側のストライプ層８ｃ，８ｃの間の寸法）にわたって微粘着材層を塗布形成することにより、給紙時に、原稿シート８の表面に付着する塵、埃を、繰出しローラ２０の微粘着材層に移転させて除去できるように構成されている。
【００１６】
この繰出しローラ２０にてマガジン体２から送りだされた原稿シート８は、ガイド板１８ａと浮き上がり防止用の補助ガイド板１８ｂとの間を経て、インクリボン１５とプラテンローラ１３との間に通過させ、プラテンローラ１３にて間欠移送させられる間に、パーソナルコンピュータ等の外部装置から伝送された製版すべき文字、画像等の製版データに従ってサーマルヘッド１２を作動させて、ポリエチレンテレフタレート等の透明フィルム製の原稿シート８の表面にスタンプすべき画像を印刷形成する。
【００１７】
その後、原稿シート８は、下流側移送ガイド部２１におけるローラ対２２を介して製版部１１に送られる。製版部１１は、図１、図２等に示すように、本体ケース１ａにおける右部上側には、前記印面部材１０を下面側に固定したスタンプ本体２３を前後左右から挟み付けてセッティングするスタンプセッティングユニット２４と、このスタンプ本体２３の下方に収納室内に対して本体ケース１ａの右側面から横方向に出し入れできるキセノン発光ユニット７とにより構成されている。
【００１８】
キセノン発光ユニット７は、合成樹脂材等の電気絶縁性材料からなるユニットケースの上面側に配置された透明板２６と、その下側に配置されたキセノン管２７と、前記透明板２６方向に光を反射させるための光反射傘２８と、ユニットケース２５の挿入方向の先端に固定された受電側プラグ２９等とを備え、本体ケース１ａ側の電源側プラグ３０に接続されている。
【００１９】
そして、キセノン管２７の発光にて印面部材１０の表面に照射することで、印面が形成される。なお、手差し挿入口４から送られたＩＤシート９は、給紙部６における搬送ローラ対３３を介して印刷部５に送られ、ここで前記原稿シート８と同じ画像を印刷し、スタンプ本体２３が存在しない状態で排出ローラ３１を介して取り出し口３２から放出し、スタンプ本体のグリップ部等に張り付けて印面の識別が容易になるようにする。
【００２０】
本体ケース１ａ内の下部には、キセノン発光ユニット７に高圧電力を供給するために、外部の商用電源（１００Ｖ）から入力して、高圧電力を蓄積するためのコンデンサ、該コンデンサに対して充電を行う充電回路、充電電圧検知回路、キセノン発光回路等を有するキセノン管発光制御回路を備えた高圧電源部や、ＣＰＵ等の制御基板が配置されている。
【００２１】
次に、図４及び図５を参照しながら、マガジン体２に積層された原稿シート８を給紙部６における給紙手段としての繰出しローラ２０の方向に押圧するための押し上げ機構３５について説明する。押し上げ機構３５は、図５に示すように、左右一対のアーム部３６，３６と、その間を連結する連結片３６ｂと、該連結片３６ｂから上向きに突出するように屈曲形成等させた少なくとも一つ、好ましくは一対の押圧片３７，３７と、前記左右両アーム部３６，３６の内面に対向して横向きに突出させた丸ピン状の摺動突起部３８，３８等から構成され、左右両アーム部３６，３６の基部の回動支点３６ａは本体ケース１ａのシャーシフレーム等にピン等を介して上下回動可能に枢支されている。
【００２２】
そして、マガジン装着部３の底板３ａの下面側に連結片３６ｂが位置し、前記一対の押圧片３７，３７が底板３ａに穿設された貫通孔４１を下側から貫通するように配置され、前記左右両アーム部３６，３６の先端側フック３６ｃと、前記ガイド板１８ａの下面側に突出するブラケット３９とに係止した引張ばね等の付勢手段４０により、前記一対の押圧片３７，３７が上方向に移動するように付勢されている。マガジン体２がマガジン装着部３から抜き出された状態では、底板３ａの下面の適宜箇所に前記押し上げ機構３５における連結片３６ｂがほぼ平行状に当接し、前記一対の押圧片３７，３７の先端が底板３ａから大きく突出する。この各押圧片３７はその先端側からの座屈力や曲げ力に対して塑性変形し難いように膨出部３７ａ等にて、剛性が高められている。
【００２３】
マガジン体２は、図６、図７（ａ）〜図７（ｃ）及び図８に示すように、上面開放状の外ケース４２と、該外ケース４２に対してその長手方向（給紙部６に対する着脱方向）に沿って相対的に移動可能な上面開放状の内ケース４３と、該内ケース４３の上面の後部側を覆うための上下回動可能なカバー４４と、内ケース４３内にて後側を枢支されて前側が大きく上下回動可能であって、前記カットシートとしての原稿シート８を積層状に載置できる受け板４５と、内ケース４３内の前寄り部位にて上下回動可能な分離枠体４６等から構成されており、内外両ケース４３，４２及びカバー４４は合成樹脂材にて形成することが好ましい。
【００２４】
外ケース４２の後端部には、作業者が押し引きできる下向き開口状の把手部４２ａが一体的に形成されており、図９に示すように、外ケース４２の底板４２ｂの前端は、左右両側が後方に大きく抉られた切欠き部４７と、左右中央側先端（自由端）にて上向き突出した係合部４８とを備える。そして、図６及び図７（ａ）に示すように、外ケース４２の左右両側板４２ｃ，４２ｃには、その前端側から後方に向かって下向き傾斜する第１傾斜面４９ａと、第１傾斜面４９ａの下端で連設されて底板４２ｂの下面と同じ高さに到る下向き凸湾曲面４９ｂと、この下向き凸湾曲面４９ｂに連設して上向き傾斜する第２傾斜面４９ｃと、該第２傾斜面４９ｃの上端に連設されて底板４２ｂと平行に後向きに延びた後のち、底板４２ｂ方向に下がるように形成された遊嵌部４９ｄとからなる案内部４９が形成されている。従って、マガジン体２を給紙部６に対して着脱するように抜き出しするとき、前記押し上げ機構３５における左右両側のアーム部３６から突出する摺動突起部３８が前記案内部の下側面である第１傾斜面４９ａ、下向き凸湾曲面４９ｂ、第２傾斜面４９ｃに摺接されてアーム部３６（ひいては押圧片３７）が上下回動するものである。なお、図６及び図９に示すごとく、第２傾斜面４９ｃから遊嵌部４９ｄにわたって、底板４２ｂと左右両側板４２ｃとの連設角部には、透かし孔５１が穿設されており、この透かし孔５１を介して、前記横向きの摺動突起部３８の先端側が内ケース４３の側板４３ｃの外面に形成された補助案内部５０に臨むことが可能なように構成されている。
【００２５】
内ケース４３における左右両側板４３ｃの外面に一体的に形成された横張出リブ状の補助案内部５０は、前記第１傾斜面４９ａと略同じ傾斜角度を有する補助傾斜面５０ａと、該補助傾斜面５０ａの下端に連設されて外ケース４２における底板４２ｂの上面に摺接可能なように平行な底案内面５０ｂと、該底案内面５０ｂの後端に連設して略垂直状に上向きに延びた係合案内面５０ｃとを有する（図６及び図７（ｂ）参照）。また、内ケース４３の底板４３ｂの前部寄り部位に穿設された挿通孔５２を介して前述の押し上げ機構３５における押圧片３７が下方から通過可能となるように構成されている（図７（ｃ）及び図１０参照）。
【００２６】
内ケース４３内の前部寄り部位に配置する分離枠体４６は、図７（ｃ）、図８及び図１０に示すように、内ケース４３の左右両側板４３ｃ，４３ｃの各内面に設けた枢支部５３に基端が回動可能に枢支される孔５５を有する左右一対の側板４６ａ，４６ａと、該両側板４６ａ，４６ａの下端間を連結する連結底板４６ｂと、連結底板４６ｂの前端から立ち上げた前板４６ｃと、該前板４６ｃの上端部の左右両側端に略水平状に屈曲させた分離爪５４，５４等により構成されている。内ケース４３の後部側の左右一対の枢支部６０（図７（ｃ）て一方のみ示す）にて枢支された受け板４５の前端左右両側角部もしくは受け板４５に積層された原稿シート８の前端左右両側角部が前記一対の分離爪５４，５４の下面に当接可能であり、マガジン体２の押し込み動に応じて（後に詳述する）、前記押し上げ機構３５における押圧片３７が分離枠体４６の連結底板４６ｂに穿設された孔６１を介して受け板４５を押し上げるとき、この受け板４５を介して分離枠体４６を上向き回動させる構成である。
【００２７】
そして、この分離枠体４６は、内ケース４３の底板４３ｂ上面側と、前記連結底板４６ｂとの間に装架された引下げ機構５６にて底板４３ｂに接近するように引下げ可能に構成されている。即ち、図８に示すように、引下げ機構５６は、内ケース４３の底板４３ｂ上面側に突出形成された前後長手の膨出部４３ｄの左右両側に突出させた取付けフック部５７に一対の基端が係合された平面視コ字状のトーションバー５８の先端部５８ｂ（一対の足部５８ａ，５８ａの連結部）が分離枠体４６の連結底板４６ａに段付状に形成された係合部５９に係合することにより、トーションバー５８の一対の足部５８ａが内ケース４３の底板４３ｂ上面とほぼ平行状の姿勢で引下げ力が減少するように構成されている。なお、トーションバー５８の一対の足部５８ａ，５８ａは、前記膨出部４３ｄの左右両側に沿って伸び、底板４３ｂ上面側に突出形成されたストッパー片４３ｆ，４３ｆに足部５８ａ，５８ａの先端を当接させることにより、後退不能としてトーションバー５８の先端部５８ｂが係合部５９から不用意に外れないように構成されている。
【００２８】
前述のごとく、連結底板４６ａが前記底板４３ｂから離れるように分離枠体４６が上向き回動するときには、前記一対の足部５８ａ，５８ａが各取付けフック部５７、５７を起点に下向き凸湾曲状に弾性変形して分離枠体４６を下向きに引下げるべく付勢力が作用するのである。
なお、分離枠体４６における両側板４６ａ，４６ａの前後長手方向の中途部には、浮き上がり規制片６２，６２が内向きに屈曲形成されて設けられている。後述するように、押し上げ機構３５にて受け板４５上に積層した原稿シート８を繰出しローラ２０の回転面に押し付けてから給紙動作した後、マガジン体２を抜き出すため押し上げ機構３５を下向き回動すると、積層した原稿シート８のうちの最上位置のものが繰出しローラ２０の回転周面に形成された微粘着材層に付着したままになるので、前記引下げ機構としてのトーションバー５８を介して分離枠体４６を下向きに強制移動させるとき、前記分離爪５４と浮き上がり規制片６２が繰出しローラ２０を挟んで両側に位置することから、繰出しローラ２０から原稿シート８を効率良く引き離すことができるのである。
【００２９】
次に、前記構成によるマガジン体２の抜き差し時における押し上げ機構３５の動作について説明すると、マガジン体２が本体ケース１ａのマガジン装着部３から抜き出された状態では、図３及び図１２に示すように、給紙部６において、付勢手段４０としての引張バネの付勢力により、押し上げ機構３５の押圧片３７は、底板３ａに穿設された貫通孔４１の下方から上向きに突出しており、その状態では、押し上げ機構３５の左右一対のアーム部３６，３６における丸ピン状の摺動突起部３８，３８が所定の高さ位置に配置される。次いで、外ケース４２の後端の把手部４２ａ等を持って、マガジン体２をその先端からマガジン装着部３に挿入する（図１２の矢印Ａ方向）。この場合、内ケース４３の先端側で外ケース４２の先端より図６に示す程度に突出していても良い。マガジン体２の挿入移動に伴って、内ケース４３における左右両側の補助案内部５０の補助傾斜面５０ａ，５０ａもしくは外ケース４２の左右両側の案内部４９における第１傾斜面４９ａ，４９ａが前記摺動突起部３８，３８に当接して、付勢手段４０の付勢力に抗してアーム部３６，３６の先端側を下向きに押し下げる。
【００３０】
外ケース４２の左右両側における下向きの凸湾曲面４９ｂ，４９ｂの箇所を前記摺動突起部３８，３８が通過する。この時、押し上げ機構３５の左右一対の押圧片３７，３７の先端（上端）が、前記底板３ａにおける貫通孔４１よりも下方に位置する最も低い位置となり、マガジン体２は押圧片３７，３７に邪魔されることなくさらに押し込むことができる。そして、さらにマガジン体２を押し込めば、内ケース４３における底案内面５０ｂ，５０ｂに摺動突起部３８，３８が摺接するので、押し上げ機構３５は最下降状態を保持される。
【００３１】
最終的にマガジン体２の前端が給紙部６の所定位置に押し込まれてセットされたときには、内ケース４３の左右両側の係合案内面５０ｃ，５０ｃの後側に前記摺動突起部３８，３８が位置するように、付勢手段４０にて上向き付勢された押し上げ機構３５の左右一対の押圧片３７，３７の先端（上端）は、前記貫通孔４１、外ケース４２の切欠き部４７、内ケース４３の挿通孔５２、及び分離枠体４６における孔６１，６１を上向きに貫通して受け板４５の前寄り部位の下面を押し上げる。
【００３２】
この状態では、図２、図４及び図１３（ａ）に示すように受け板４５に積層された原稿シート８のうちの最上シートの前寄り上面が給紙部６における繰出しローラ２０に強い押圧力にて押圧される。
そして、パーソナルコンピュータ等の外部装置からの印刷指令があると、まず繰出しローラ２０が回転駆動し、図１４で時計方向（図４では反時計方向）に回転し、前記最上位置の原稿シート８を移送ガイド板１８ａに向かって繰り出す。この強制繰出し時に、最上位置の原稿シート８の前端左右両角部は分離爪５４，５４にて拘束されているので、図１４に示すように最上位置の原稿シート８の前端左右中央側が盛り上がるように撓んで、その前端左右両角部が分離爪５４，５４から離れると、平坦な状態で移送ガイド板１８ａ上に移ることができる。補助ガイド板１８ｂの箇所の第１感知センサ６３で、原稿シート８の先端を感知すると、繰出しローラ２０及び下流側移送ガイド部２１におけるローラ対２２が駆動開始し、前記原稿シート８の先端が第２感知センサ６４にて感知されると、原稿シート８の印刷領域の始端がサーマルヘッド１２の発熱素子部に到着して、回転駆動するプラテンローラ１３とサーマルヘッド１２との間でインクリボン１５を介して印刷を開始する。他方、プラテンローラ１３とサーマルヘッド１２とで原稿シート８が挟持されると、第１駆動モータ（図示せず）は停止して繰出しローラ２０はフリー回転する。
【００３３】
印刷につれて製版部１１に移送される原稿シート８の後端が第２感知センサ６４にて感知されると、それから所定回転数だけローラ対２２の駆動により当該原稿シート８の印刷領域（製版領域）の中央位置が製版部の中央位置にセットされるので、ローラ対２２が停止する。
次いで、前記原稿シート８がキセノン発光ユニット７における透明板２６の所定位置にて停止すると、スタンプセッティングユニット２４を介してスタンプ本体２３における印面部材１０が印刷された原稿シート８に押し付けられ、キセノン管２７の発光にて製版される。
【００３４】
原稿シート８の交換等に際してマガジン体２をマガジン装着部３から引き抜くときには、作業者は外ケース４２の後端の把手部４２ａを持って図４の矢印Ｂ方向に引く。そうすると、図１３（ｂ）に示すように、まず、外ケース４２のみが矢印Ｂ方向に後退移動するので、前記押し上げ機構３５における左右両側の摺接突起部３８，３８は外ケース４３における第２傾斜案内面４９ｃ，４９ｃに摺接しながらマガジン体２の底方向に押される。これにより、付勢手段４０の付勢力に抗して押し上げ機構３５のアーム部３６の先端側は下向きに回動し、押圧片３７の先端がマガジン体２の底部から抜け出る方向に下降する。さらに外ケース４２を引くと、図１３（ｃ）に示すごとく、外ケース４２における下向き凸湾曲面４９ｂの箇所に摺接突起部３８が到達し、その近傍では、前記押圧片３７の先端はマガジン体２の底から完全に抜け出た状態になる。
【００３５】
前述の押し上げ機構３５による受け板４５の押圧力が解除されると、引下げ機構５６におけるトーションバー５８の付勢力にて分離枠体３５は下向きに引き戻される結果、たとえ、繰出しローラ２０の回転周面に形成された微粘着材層に原稿シート８が付着していても、当該繰出しローラ２０を挟んだ前後位置の分離爪５４と浮き上がり規制片６２とで原稿シート８を強制的に下向きに引き離すことができるのである。
【００３６】
次いで、外ケース４２を引くと、当該外ケース４２の底板４２ｂの先端の係合部４８が内ケース４３の底板４３ｂの先端縁に当接し、内ケース４３も一緒に後方に引き出されることになる。このとき、前記摺動突起部３８は、内ケース４３における底案内面５０ｃに摺接するので、当該底案内面５０ｃは、前記押圧片３７が内ケース４３の底板４３ｂに接近するのを規制する機能を有することになる。さらに、摺動突起部３８が補助傾斜面５０ａや前記第１傾斜案内面４９ａに摺接すると、付勢手段４０の付勢力にて押し上げ機構３５が上向き回動する。この状態では、押圧片３７の先端はマガジン体２の先端より外側に位置しているので、押し上げ機構３５が元の状態（図１２参照）に復帰しても、押圧片３７とマガジン体２とが干渉しないのである。
【００３７】
なお、本発明において、引下げ機構５６における付勢手段としてのトーションバー５８に代えて、内ケース４３の側板４３ｃ内面と分離枠体４６の側板４６ａとの間に捩じりばねを介挿するようにしても良い。
【００３８】
【発明の効果】
従って、請求項１に記載の発明の構成によれば、押し上げ機構により受け板を介して積層されたカットシートを給紙手段に押し付ける一方、前記の押し上げ力が解除されたとき、引下げ機構により分離枠体を強制的に引き下げるので、該分離枠体に設けた分離爪が前記積層されたカットシートの上端左右縁に係止していることにより、たとえ静電気の作用等にて給紙手段に付着していてもカットシートを強制的に引き離すことができるという効果を奏する。そして、引下げ機構による押し下げ作用は、押し上げ機構による押し上げ作用が解除されると自動的に機能するので、別途の操作も必要がなく簡単に実行できるという効果を奏する。さらに、マガジン体が本体ケースの給紙部に装着されているときは、上記分離爪は常にカットシート上端左右に均等に押し付けることができるため、部品製造上等の理由による、左右の分離爪の寸法バラツキに対しても安定した分離特性が得られるという効果を奏する。
【００３９】
また、請求項２に記載の発明は、請求項１に記載のカットシートのマガジン装置において、給紙手段としての回転ローラの表面を微粘着材層に形成する一方、前記分離枠体には、前記回転ローラがカットシートの表面に押圧される箇所を挟んで前記分離爪と反対側に浮き上がり防止爪を設けたものであるから、回転ローラの表面の微粘着材層にカットシートが付着していても、その回転ローラを挟んだ位置の分離爪と浮き上がり防止爪との両方でカットシートを引き離すので確実に引き離することができるという効果を奏する。
【００４０】
さらに、請求項３に記載の発明は、請求項１または請求項２のいずれかに記載のカットシートのマガジン装置において、前記引下げ機構は、基端をマガジン体の底板に係止する一方、他端を前記連結底板に係合させるトーションバーにて構成されているので、トーションバーがマガジン体の底板及び分離枠体の連結底板と略平行状に配設でき、嵩張ることがないから、マガジン体をコンパクトに形成できるという効果を奏するのである。
【図面の簡単な説明】
【図１】スタンプ作成装置の概略斜視図である。
【図２】スタンプ作成装置全体の断面図である。
【図３】マガジン体を除去した状態でのスタンプ作成装置の断面図である。
【図４】マガジン装着部を含む要部断面図である。
【図５】押し上げ機構の斜視図である。
【図６】マガジン体の斜視図である。
【図７】（ａ）はマガジン体の側面図、（ｂ）は図６のVIIb−VIIb線矢視断面図、（ｃ）は図６のVIIc−VIIc線矢視断面図である。
【図８】分離枠体の斜視図である。
【図９】外ケースの前部側の平面図である。
【図１０】内ケースの平面図である。
【図１１】図１０のXI−XI線矢視断面図である。
【図１２】マガジン体を挿入する状態を示す側断面図である。
【図１３】（ａ）はマガジン体のセット状態を示す要部側面図、（ｂ）はマガジン体抜き出し開始状態を示す要部側面図、（ｃ）は押し上げ機構が最下降した状態を示す要部側面図である。
【図１４】原稿シートの繰出し状態を示す斜視図である。
【図１５】（ａ）は原稿シートの平面図、（ｂ）は原稿シートにおけるXVb −XV線矢視拡大断面図である。
【符号の説明】
１        スタンプ作成装置
１ａ      本体ケース
２        マガジン体
３        マガジン装着部
５        印刷部
６        給紙部
８        カットシートとしての原稿シート
９        ＩＤシート
２０        回転ローラとしての繰出しローラ
３５        押し上げ機構
３７        押圧片
３８        摺動突起部
４０        付勢手段
４１        貫通孔
４２        外ケース
４３        内ケース
４５        受け板
４６        分離枠体
５４        分離爪
５６        引下げ機構
５７        取付けフック部
５８        トーションバー
５８ａ      足部
５８ｂ      連設部
５９        係合部
６２        浮き上がり規制片
【図１】
0003791206.tif 000002
【図２】
0003791206.tif 000003
【図３】
0003791206.tif 000004
【図４】
0003791206.tif 000005
【図５】
0003791206.tif 000006
【図６】
0003791206.tif 000007
【図７】
0003791206.tif 000008
【図８】
0003791206.tif 000009
【図９】
0003791206.tif 000010
【図１０】
0003791206.tif 000011
【図１１】
0003791206.tif 000012
【図１２】
0003791206.tif 000013
【図１３】
0003791206.tif 000014
【図１４】
0003791206.tif 000015
【図１５】
0003791206.tif 000016